(57)【要約】 【課題】  入力される画像の階調範囲から外れた階調をソースドライバに入力する。【解決手段】  サブ画素がＮ（Ｎは正整数）ビットの階調である画像データの階調をクロストーク補正するクロストーク補正部７と、入力された階調に基づく電圧を出力するソースドライバ２１と、ソースドライバ２１の出力電圧に基づいた透過率で画像の表示を行う表示パネル２０とを有する表示装置１であって、ソースドライバ２１はＮ＋ｎ（Ｎは正整数）ビットの階調を備え、クロストーク補正部７は入力画像のＮビットにｎビットを下位の桁に付加したＮ＋ｎビットの階調をソースドライバ２１に出力し、クロストーク補正部７は上位Ｎビットの部分が最大値あるいは最小値となるＮ＋ｎビットの階調を複数設けて２のＮ乗種類以上の階調を出力する。【選択図】      図１１
2009080236.tif 000002
【特許請求の範囲】
【請求項１】
入力画像のＮ（Ｎは正整数）ビットの階調データをクロストーク補正するクロストーク
補正部と、該クロストーク補正部から出力される階調データを夫々の階調データに対応し
た電圧に変換するソースドライバと、該ソースドライバの出力電圧に基づいた透過率で画
像の表示を行う表示パネルとを有する表示装置であって、
前記ソースドライバはＮ＋ｎ（Ｎは正整数）ビットの階調データを電圧に変換し、前記
クロストーク補正部は入力される階調データのＮビットにｎビットを下位の桁に付加した
Ｎ＋ｎビットの階調を前記ソースドライバに出力し、前記クロストーク補正部は上位Ｎビ
ットの部分が夫々異なる２のＮ乗種類の中間階調データと、前記中間階調データの最小値
よりも小さいＮ＋ｎビットの超最小階調データと前記中間階調データの最大値よりも大き
いＮ＋ｎビットの超最大階調データを出力することを特徴とする表示装置。
【請求項２】
前記Ｎは６であり、前記ｎは２であることを特徴とする請求項１に記載の表示装置。
【請求項３】
前記超最小階調データは００００００００〜００００００１０であることを特徴とする
請求項２に記載の表示装置。
【請求項４】
前記超最大階調データは１１１１１１０１〜１１１１１１１１１であることを特徴とす
る請求項２に記載の表示装置。
【請求項５】
２つの視方向に対する個別の画像のサブ画素がゲートライン方向に隣接した２画面合成
画像を出力する２画面合成部を有し、前記クロストーク補正部は補正対象のサブ画素の階
調データとその隣接サブ画素の階調データに基づいて前記補正対象のサブ画素の階調デー
タを補正し、前記表示パネルは入力された前記２画面合成画像を２つの視方向に対して前
記個別画像を判別可能に表示することを特徴とする請求項１〜４のいずれかに記載の表示
装置。
【請求項６】
前記クロストーク補正部は前記２画面画像を２つの視方向に対して前記個別画像を判別
可能に表示する２画面表示モードか、合成されない画像を表示する非２画面表示モードか
を示す画像切替信号を受信し、前記２画面表示モードであれば前記中間階調データと前記
超最小階調データと前記超最大階調データを出力し、前記非２画面表示モードであれば前
記中間階調データの最小値がＮ＋ｎビットの最小値となり前記中間階調データの最大値が
Ｎ＋ｎビットの最大値となる２のＮ乗種類の中間階調データを出力することを特徴とする
請求項５に記載の表示装置。
【発明の詳細な説明】
【技術分野】
【０００１】
本発明は、クロストーク補正を行う表示装置に関し、特に入力画像の階調の範囲を超え
た階調でクロストーク補正を行う表示装置に関する。
【背景技術】
【０００２】
従来より、液晶表示装置やＥＬ表示装置は軽量、薄型、低消費電力という特徴があり、
多くの電子機器に使用されている。これらの表示装置はサブ画素がマトリクス状に整列し
ている。サブ画素はＲＧＢのいずれかのカラーフィルタを有し、ＲＧＢ３つのサブ画素で
１つの画素を形成する。
【０００３】
夫々のサブ画素は電荷を保持するための寄生容量を有している。このために、自サブ画
素の寄生容量が隣接サブ画素に漏れたり、隣接サブ画素の寄生容量が自サブ画素に漏れた
りして、指定した階調（透過率）と異なる階調になることがある。これが電気的なクロス
トークである（特許文献１参照）。また、隣接サブ画素の光が自サブ画素に漏れて指定し
た階調と異なる階調になることがある。これが光学的なクロストークである（特許文献１
参照）。
【０００４】
特に、２画面表示装置では電気的なクロストークが大きく、これについて説明する。図
１４は２画面表示装置５０により２画面表示が実現される仕組みを示す図である。遮光板
５４の表面から距離Ｄだけ離間した液晶表示パネル５２の真正面の位置Ｃから左方向に離
れた第１の観察領域Ａには、遮光板５４の開口部５６を通して第１のサブ画素列５１ａか
ら第１の画像が提供される。このとき、第２のサブ画素列５１ｂの第２の画像は、遮光板
５４の遮光部５５により遮られるため、第１の観察領域Ａからは視認することができない
。
【０００５】
一方、液晶表示パネル５２の真正面の位置Ｃから右方向に離れた第２の観察領域Ｂには
、遮光板５４の開口部５６を通して第２のサブ画素列５１ｂから第２の画像が提供される
。このとき、第１のサブ画素列５１ａの第１の画像は、遮光板５４の遮光部５５により遮
られるため、第２の観察領域Ｂからは視認することができない。こうして、第１の観察領
域Ａに第１の画像を提供し、第２の観察領域Ｂに第２の画像を提供する２画面表示が行わ
れる。
【０００６】
このような２画面表示装置５０は、例えば、自動車内において運転席と助手席との間に
この２画面表示装置５０を配置した場合、運転席と助手席とでは２画面表示装置５０の観
察方向が異なるから、運転席の者には例えばカーナビゲーション装置の映像を見ることが
できるようにし、助手席の者にはＤＶＤやテレビジョンを見ることができるようにするこ
とができる。しかしながら、２画面表示装置においては、互いに異なる内容の画像（例え
ば、ナビゲーション装置の場合は運転席方向にナビゲーション画像を表示させ、助手席方
向にＤＶＤ再生画像を表示させる。）のサブ画素が隣り合うために、サブ画素間に大きな
電位差が生じてクロストークとなることが多い。
【０００７】
図１５を用いてこの現象を説明する。なお、図１５（ａ）は左側及び右側のそれぞれの
入力画像と２画面表示時の画像を示す模式図であり、図１５（ｂ）は２画面表示装置の画
素毎の輝度レベルを表す図であり、図１５（ａ）及び図１５（ｂ）においては、第１の観
察位置（左側）を三角枠で囲み、第２の観察位置（右側）を四角枠で囲んで表すことによ
って右側及び左側を区別している。
【０００８】
例えば、図１５（ａ）に示すように、左側用の入力画像が中央の黒ボックス画像とその
周囲の中間調ベタ画像からなり、右側用の入力画像が全面中間調ベタ画像からなる場合、
２画面表示時には、左側の画像は入力画像のとおりに表示されるが、右側にクロストーク
が発生して左側の黒ボックス画像に対応する位置に輝度の変化した領域が観察される。
【０００９】
このときの各サブ画素の輝度レベルは図１５（ｂ）に示したとおりとなる。すなわち、
２画面表示時には、左側及び右側の入力画像がともに同じ中間調ベタ領域では各サブ画素
の輝度レベルに変化はないが、左側の入力画像が黒ベタ領域となる部分では、左側に対応
する画素電極に印加される電圧と隣り合う右側に対応する画素電極に印加される電圧との
差が大きくなるため、右側のサブ画素の輝度が図１５（ｂ）に矢印で示したように中間ベ
タ画像に対応する輝度よりも押し下げられ（表示する映像によっては上がる場合もある）
、右側の表示領域において左側の黒ベタ領域に似た形状に輝度に変化が生じる。これが２
画面表示時の水平クロストークである。
【００１０】
これらのクロストークを補正するために、自サブ画素の階調の値と隣接サブ画素の階調
の値に対応する補正値を有したＬＵＴ（ルックアップテーブル）を備え、自サブ画素の階
調を隣接サブ画素の階調に応じて補正する方法が考えられた（特許文献１参照）。
【特許文献１】特開２００６− ２３７１０号公報
【発明の開示】
【発明が解決しようとする課題】
【００１１】
しかしながら、入力される画像の階調範囲から外れた階調をソースドライバに入力する
ことができないために、補正には限界があった。例えば、入力される画像の階調範囲が６
ビットの０階調〜６３階調の場合はソースドライバの正極ＤＡ変換回路の入力は、図１６
の如く、０階調〜６３階調となる。したがって、ソースドライバに０階調を入力すると６
．２Ｖを液晶の電極に出力することになるが、隣接サブ画素の寄生容量（電気的なクロス
トーク）により実際に液晶パネルの電極に印加されるのが６．３Ｖとなるときは、ソース
ドライバに０階調よりも小さな階調を入力しなければいけないが、それができないという
問題があった（図１７は０階調にしても目標の輝度に下げることができないことを示す図
である。）。あるいは隣接サブ画素からの光漏れ（光学的なクロストーク）があるときに
、０階調よりも小さな階調をソースドライバに入力することができないという問題があっ
た。
【００１２】
本発明は上述の課題に鑑みてなされたものであり、入力される画像の階調範囲を超えた
階調をソースドライバに入力することを目的とする。
【課題を解決するための手段】
【００１３】
上記課題を解決するために、本発明の表示装置は、入力画像のＮ（Ｎは正整数）ビット
の階調データをクロストーク補正するクロストーク補正部と、該クロストーク補正部から
出力される階調データを夫々の階調データに対応した電圧に変換するソースドライバと、
該ソースドライバの出力電圧に基づいた透過率で画像の表示を行う表示パネルとを有する
表示装置であって、
前記ソースドライバはＮ＋ｎ（Ｎは正整数）ビットの階調データを電圧に変換し、前記
クロストーク補正部は入力される階調データのＮビットにｎビットを下位の桁に付加した
Ｎ＋ｎビットの階調を前記ソースドライバに出力し、前記クロストーク補正部は上位Ｎビ
ットの部分が夫々異なる２のＮ乗種類の中間階調データと、前記中間階調データの最小値
よりも小さいＮ＋ｎビットの超最小階調データと前記中間階調データの最大値よりも大き
いＮ＋ｎビットの超最大階調データを出力する。
【００１４】
これにより、入力される画像の階調範囲を超えてクロストーク補正を行うことができる
。例えば、入力される画像の階調データが６ビットの０階調〜６３階調であるときに、ク
ロストーク補正で０階調よりも小さい階調データや６３階調よりも大きい階調データをソ
ースドライバに出力することができ、ソースドライバは０階調〜６３階調に対応する電圧
範囲を超えた電圧を出力することができる。
【００１５】
また、前記Ｎは６であり、前記ｎは２である。
【００１６】
これにより、入力される画像の階調が６ビットである表示装置について汎用性がある８
ビットのソースドライバを使用することができる。
【００１７】
また、前記超最小階調データは００００００００〜００００００１０である。
【００１８】
これにより、入力される画像の階調データが６ビットの０階調〜６３階調であるときに
、クロストーク補正で０階調よりも小さい階調データを３つソースドライバに出力するこ
とができる。
【００１９】
また、前記超最大階調データは１１１１１１０１〜１１１１１１１１１である。
【００２０】
これにより、入力される画像の階調データが６ビットの０階調〜６３階調であるときに
、クロストーク補正で６３階調よりも大きい階調を３つソースドライバに出力することが
できる。
【００２１】
また、２つの視方向に対する個別の画像のサブ画素がゲートライン方向に隣接した２画
面合成画像を出力する２画面合成部を有し、前記クロストーク補正部は補正対象のサブ画
素の階調データとその隣接サブ画素の階調データに基づいて前記補正対象のサブ画素の階
調データを補正し、前記表示パネルは入力された前記２画面合成画像を２つの視方向に対
して前記個別画像を判別可能に表示する。
【００２２】
これにより、サブ画素間に大きな電位差が生じてクロストークが発生しやすい２画面表
示装置において、そのクロストークを軽減することができる。
【００２３】
また、前記クロストーク補正部は前記２画面画像を２つの視方向に対して前記個別画像
を判別可能に表示する２画面表示モードか、合成されない画像を表示する非２画面表示モ
ードかを示す画像切替信号を受信し、前記２画面表示モードであれば前記中間階調データ
と前記超最小階調データと前記超最大階調データを出力し、前記非２画面表示モードであ
れば前記中間階調データの最小値がＮ＋ｎビットの最小値となり前記中間階調データの最
大値がＮ＋ｎビットの最大値となる２のＮ乗種類の中間階調データを出力する。
【００２４】
これにより、非２画面表示モードであるときのコントラストの低下を防止することがで
きる。
【発明を実施するための最良の形態】
【００２５】
以下、図面を参照して本発明の最良の実施形態を説明する。但し、以下に示す実施形態
は、本発明の技術思想を具体化するための表示装置を例示するものであって、本発明をこ
れらに特定することを意図するものではなく、特許請求の範囲に含まれるその他の実施形
態のものにも等しく適応し得るものである。
【実施例１】
【００２６】
図１は実施例１の２画面表示装置の要部を示すブロック図である。図１の実線は２画面
表示装置１を示し、破線は２画面表示装置１が組み込まれるナビゲーション装置４０を示
す。図２は図１の液晶表示部２の要部を示すブロック図であり、図３は図２のソースドラ
イバ２１の要部を示すブロック図であり、図４は図３の正極ＤＡ変換回路の要部を示す図
である。
【００２７】
図１において、２画面表示装置１は液晶表示部２と、ナビゲーション装置４０からの２
つのソース画像（ナビゲーション画像、ＤＶＤ画像）を２画面合成処理とクロストーク補
正し液晶表示部２に出力する信号処理回路３と、信号処理回路３の動作に必要な種々のデ
ータを記憶するＥＥＰＲＯＭ４と、液晶表示部２に電源を供給する電源供給回路５を備え
ている。
【００２８】
信号処理回路３は２つのソース画像を合成する２画面合成部６と、クロストーク補正を
行うクロストーク補正部７と、クロストーク補正部７で補正された信号を液晶パネルで表
示できるように極性やタイミングを制御する出力信号生成部８と、ＥＥＰＲＯＭ４の入出
力を制御するＥＥＰＲＯＭコントローラ９を備えている。
【００２９】
クロストーク補正部７は前処理部１０と補正データ送出部１１と演算部１２ａを備える
。前処理部１０は２画面合成部６からの画像信号より必要なデータを補正データ送出部１
１と演算部１２ａに送出する。補正データ送出部１１はＥＥＰＲＯＭコントローラ９から
の補正テーブルを記憶するＬＵＴ（ルックアップテーブル）１３と、ＬＵＴ１３には無い
データを補間するデータ補間部１４を備えて補正データを求める。演算部１２ａは前処理
部１０からの画像に補正データ送出部１１の補正データを加算したり、６ビットの階調デ
ータでは補正しきれないときに追加の２ビットの補正データを出力したりする。
【００３０】
図２において、液晶表示部２は液晶パネル２０と、複数のソースドライバ２１と、複数
のゲートドライバ２２を有する。液晶パネル２０は図示しないゲートラインとソースライ
ンに対応してマトリクス状に整列したサブ画素（図６参照）を備えており、ゲートライン
に印加されるサブ画素の液晶層をソースラインに印加される電圧に基づいた透過率にする
。ソースドライバ２１は信号処理回路３から出力されるＲＧＢ信号の階調データに基づく
電圧を液晶パネル２０のソースラインに印加する。ゲートドライバ２２は信号処理回路３
から出力される同期信号に基づいて液晶パネル２０のゲートラインにゲートラインを選択
するための走査信号を出力する。
【００３１】
図３において、ソースドライバ２１はシフトレジスタ３０、ラッチ３１、サンプリング
メモリ３２、ホールドメモリ３３、レベルシフタ３４、基準電源回路３５、ＤＡ変換回路
３６、出力バッファ３９を備えている。ラッチ３１は信号処理回路３から出力されるＲＧ
Ｂ信号の階調信号を時分割でラッチする。サンプリングメモリ３２はラッチされた階調デ
ータを記憶する。ホールドメモリ３３は同期信号に同期してサンプリングメモリ３２の階
調データを取り込み、レベルシフタ３４に出力すると共に、次の同期信号が入力されるま
で階調データを保持する。レベルシフタ３４はホールドメモリ３３からの階調データをＤ
Ａ変換回路３６に適合するように昇圧などで変換する。
【００３２】
ＤＡ変換回路３６は正極側の電圧を出力する正極ＤＡ変換回路３７と負極側の電圧を出
力する負極ＤＡ変換回路３８を備えている。正極と負極の選択は信号処理回路３から出力
される同期信号に基づいて行われる。レベルシフタ３４からの階調データに対応した電圧
を出力する。出力バッファ３９は差動増幅回路からなり、安定した電圧を液晶パネル２０
に出力する。
【００３３】
図４において、正極ＤＡ変換回路３７は基準電源回路３５からの印加電圧Ｖ０（電圧１
２Ｖ）とＶ２５５（電圧６．２Ｖ）の間に２５５個の抵抗を直列に備えている。Ｖ０は入
力８ビット００００００００、Ｖ２５５は入力８ビット１１１１１１１１に対応する。夫
々の抵抗の接続端子Ｖ１〜Ｖ２５４はガンマ２．２に適応する抵抗値になっている。そし
て、図４に示す如く、Ｖ０〜Ｖ２５５の端子を選択するスイッチが８段のトーナメント形
式状に配列され、各段を入力の８ビットが夫々ＯＮ／ＯＦＦ制御する。これにより入力８
ビット００００００００〜１１１１１１１１に対応してＶ０〜Ｖ２５５が出力される。
【００３４】
図５はソースドライバ２１に入力される８ビットを示す図である。ソースドライバ２１
には２５６種類の階調データの入力が可能であるが、２画面表示装置１に入力される画像
の階調データは６ビットの６４種類であることから、ソースドライバ２１に入力される階
調データの種類は２５６種類よりも少ない。ソースドライバ２１に入力される階調データ
の８ビットは図５の網掛けの７０種類である。その内容は、上位６ビットが００００００
〜００１１１１で下位２ビットが１１の１６種類と、上位６ビットが０１００００〜０１
１１１１で下位２ビットが１０の１６種類と、上位６ビットが１０００００〜１０１１１
１で下位２ビットが０１の１６種類と、上位６ビットが１１００００〜１１１１１１で下
位２ビットが００の１６種類と、上位６ビットが００００００で下位２ビットが００，０
１，１０の３種類と、上位６ビットが１１１１１１で下位２ビットが１１，１０，０１の
３種類である。網掛けの００００００１１〜１１１１１１００の６４種類が通常の６ビッ
トの階調データに対応し、００００００００〜００００００１０の３種類が００００００
１１よりも暗い階調データに対応し、１１１１１１０１〜１１１１１１１１の３種類が１
１１１１１００よりも明るい階調データに対応する。
【００３５】
図６は液晶パネル２の画素を示す図である。液晶パネル２はカラーのＷＶＧＡであり、
ゲートライン方向（横方向）に８００画素、ソースライン方向（縦方向）に４８０画素あ
る。１画素はＲＧＢの３つのサブ画素から成る。液晶パネル２はサブ画素の遮光パターン
が市松模様（チェス盤の白黒模様。図７のＲ／Ｌ参照）の液晶シャッターを備えている。
これにより、サブ画素の市松模様の一方が右方向（日本の運転席方向）からのみ視認する
ことができ、他方が左方向（日本の助手席方向）からのみ視認することができる（図８参
照）。入力画像のサブ画素の階調データは６ビットであり、ＲＧＢの輝度は０階調〜６３
階調の６４種類となる。液晶パネル２の輝度の駆動制御は１階調単位である。即ち、整数
でない階調データを指定することはできない。１画面（８００画素×４８０画素）の周期
、即ちフレーム周期は６０Ｈｚである。
【００３６】
図９は補正データテーブルを示す。６４種類の階調データを０階調〜６３階調としたと
き、この補正データテーブルは補正対象のサブ画素データ及びその右隣のサブ画素データ
について夫々偶数階調（０階調、２階調、４階調、・・・６２階調の１階調置き）に対応
する（６４／２）×（６４／２）＝３２×３２のマトリクスに、ダミーの補助階調（６４
階調）の補正データに加えて３３×３３のマトリクスにしている。これは、最終の階調（
６３階調）を後述の補間計算で求めるためである。
【００３７】
それぞれのマトリクスには、補正対象のサブ画素データと右隣のサブ画素データとから
実験的に定められた補正データが整数の階調の４ビットデータとして、例えば表１に示し
たように、ビット３を符号ビットとし、ビット２〜ビット０の３ビットを補正データとし
、−７〜０〜＋７までの補正データが格納されている。液晶パネル１を駆動する階調デー
タの最小単位は１階調であるために実験データは四捨五入で整数に換算されて格納される
。
【００３８】
【表１】
2009080236.tif 000003
【００３９】
図９において符号「０」が記入されている箇所は、補正対象のサブ画素データと右隣の
画素データとが同じ値であって水平方向クロストークは生じないために補正が不要な部分
と、補正対象のサブ画素のデータが最小値の「０」又は最大値の「６３」であって右隣の
画素データの如何にかかわらず水平クロストークが生じないために補正が不要な部分であ
る。なお、図９においては、上述した水平方向クロストークが生じないために補正が不要
な部分以外の補正データは全て省略してあるが、−７〜０〜＋７の何れかの整数値が入る
。
【００４０】
そして、ＥＥＰＲＯＭ４には、図９において記入されている符号「０」の部分を除くデ
ータ、すなわち、（３３×３３−３３×３＋２）×４ビット＝９９２×４ビットのデータ
が格納されている。この予め実験的に定められ、ＥＥＰＲＯＭ４に格納されていたデータ
は、電源スイッチがオンにされるとＥＥＰＲＯＭ４からＬＵＴ１３に読み込まれて、図９
に示したように展開される。
【００４１】
上述の構成における２画面表示装置の画像処理について説明する。
【００４２】
図７に示す如く、２画面合成部５は、ナビゲーション装置４０のナビゲーション部４１
から入力される８００画素×４８０画素のナビゲーション画像とＤＶＤ再生部３２から入
力される８００画素×４８０画素をサブ画素の市松模様に取捨選択して、１つの８００画
素×４８０画素の画像を合成する。
【００４３】
クロストーク補正部７の前処理部１０は２画面合成部６から入力された合成画像より補
正対象のサブ画素データを補正データ送出部１１と演算部１２ａに出力し、右隣のサブ画
素データを補正データ送出部１１と演算部１２ａに出力する。
【００４４】
補正データ送出部１１では、２画面表示装置１に電源が供給開始されると同時にＥＥＰ
ＲＯＭ４に記憶されていた補正データテーブルがＥＥＰＲＯＭコントローラ９を介してＬ
ＵＴ１３に読み込まれる。
【００４５】
補正データ送出部１１は、補正対象のサブ画素の階調データとその右隣のサブ画素の階
調データから対応する補正データをＬＵＴ１３から読み出す。このとき補正データテーブ
ルは１階調置きであるので、間（奇数階調）の場合はデータ補間部１４において補正デー
タを補間する。
【００４６】
この補正データ送出部１１のデータ補間部１４の動作は次のとおりである。すなわち、
図９のＺ部分の４箇所のデータが、例えば図１０に示したようにＬＵ、ＲＵ、ＬＤ、ＲＤ
である場合、補正データがＬＵとＲＵとの間に該当する場合は（ＬＵ＋ＲＵ）／２として
、補正データがＬＵとＬＤとの間に該当する場合は（ＬＵ＋ＬＤ）／２として、補正デー
タがＲＵとＲＤとの間に該当する場合は（ＲＵ＋ＲＤ）／２として、補正データがＬＤと
ＲＤとの間に該当する場合は（ＬＤ＋ＲＤ）／２として、更には、補正データがＬＵとＲ
Ｄとの間に該当する場合は（ＬＵ＋ＲＵ＋ＬＤ＋ＲＤ）／４として求めることができる。
ＬＵＴ１３に全階調毎のデータを展開しておいても構わないが、このような構成を採用す
ると、ＥＥＰＲＯＭ４に記憶するデータ量を少なくでき、しかも、ＬＵＴ１３のサイズが
小さくなるために高速にＬＵＴ１３にアクセスでき、また、補間自体は簡単かつ高速に演
算できるため、表示がスムーズで表示画質が良好な２画面表示装置が得られる。
【００４７】
上述の補間計算は整数のＬＵ、ＲＵ、ＬＤ、ＲＤの加算を２や４で余算するので、補間
で求めた補正データは０．２５単位の階調となる。しかしながら、液晶パネルの駆動は整
数の階調でなければならないので、補間データを四捨五入により整数化する。
【００４８】
図１１は演算部１２ａの出力を示す表である。演算部１２ａは補正対象のサブ画素の階
調データから右隣のサブ画素の階調データを減算する。その減算値ｋが−６０≦ｋ≦６０
であれば、前処理部１０の補正対象のサブ画素の階調データを補正データ送出部の補正デ
ータで補正した６ビットの補正階調を算出する。このとき、６ビットの補正階調が０階調
未満であれば０階調に変更し、６３階調を超えていれば６３階調に変更する。そして、図
１１に示す如く、この６ビットの補正階調が００００００〜００１１１１であれば末尾に
２ビットの１１を追加し、６ビットの補正階調が０１００００〜０１１１１１であれば末
尾に２ビットの１０を追加し、６ビットの補正階調が１０００００〜１０１１１１であれ
ば末尾に２ビットの０１を追加し、６ビットの補正階調が１１００００〜１１１１１１で
あれば末尾に２ビットの００を追加する。このようにして、通常の６４種類の階調データ
（中間階調データ）が生成される。
【００４９】
６２＜ｋ≦６３であれば１１１１１１１１を、６１＜ｋ≦６２であれば１１１１１１１
０を、６０＜ｋ≦６１であれば１１１１１１０１を超６３階調データ（超最大階調データ
）として出力する。−６１≦ｋ＜−６０であれば００００００１０を、−６２≦ｋ＜−６
１であれば０００００００１を、−６３≦ｋ＜−６２であれば００００００００を超０階
調データ（超最小階調データ）として出力する。このように、６ビットの６３階調に対応
する８ビットの階調の下位２ビットを００にし、且つ６ビットの０階調に対応する８ビッ
トの階調の下位２ビットを１１にすることで、３種類の超６３階調データと３種類の超０
階調データを生成可能にする。ここで、超６３階調データとは入力画像の６ビットの６３
階調データよりも大きい階調データを示し、超０階調データとは入力画像の６ビットの０
階調データよりも小さい階調データを示す。
【００５０】
図１１において列の「電圧」のVXXXは図４のVXXXに対応する。例えば、正極の場合、正
極ＤＡ変換回路３７は階調１１１１１１００が入力されるとＶ２５２の電圧を出力し、階
調１１１１１１１１が入力されるとＶ２５５の電圧を出力する。また、正極ＤＡ変換回路
３７は階調００００００１１が入力されるとＶ３の電圧を出力し、階調００００００００
が入力されるとＶ０の電圧を出力する。
【００５１】
このように、入力画像の６ビットとソースドライバへの出力の８ビットの上位６ビット
を一致させたまま、入力画像の６ビットの０階調データを電圧Ｖ３にすることで、これを
超えるＶ２〜Ｖ０を出力することができ、また、入力画像の６ビットの６３階調データを
電圧Ｖ２５２にすることで、これを超えるＶ２５３〜Ｖ２５５を出力することができる。
【実施例２】
【００５２】
図１２は実施例２の要部を示すブロック図である。実施例１の図１の構成と同様の図１
２の構成については同一番号を付し、説明を省略する。図１２のブロック図は演算部１２
ｂに前処理部１０からの右隣のサブ画素データが入力されない点が図１と異なる。そして
、演算部１２ｂの動作が実施例１の演算部１２ａと異なる。それ以外は実施例１と同一で
ある。
【００５３】
図１３は演算部１２ｂの出力を示す表である。前処理部１０の補正対象のサブ画素の階
調データは６ビットであり、補正データ送出部の補正データは表１に示す如く１０進数で
−７〜７である。演算部１２ａ’は補正対象のサブ画素の階調データに補正データ送出部
の補正データを加算して加算補正値を求める。この加算は６ビットでなく、８ビットで演
算することにより、−７階調〜７０階調までの加算補正値を求めることができる。
【００５４】
演算部１２ｂは、０≦加算補正値≦６３であれば、図１３に示す如く、この加算階調デ
ータが００００００〜００１１１１であれば末尾に２ビットの１１を追加し、加算階調デ
ータが０１００００〜０１１１１１であれば末尾に２ビットの１０を追加し、加算階調デ
ータが１０００００〜１０１１１１であれば末尾に２ビットの０１を追加し、加算階調デ
ータが１１００００〜１１１１１１であれば末尾に２ビットの００を追加する。このよう
にして、通常の６４種類の階調データが生成される。
【００５５】
６７＜加算階調データであれば１１１１１１１１を、６５＜加算階調データ≦６７であ
れば１１１１１１１０を、６３＜加算階調データ≦６５であれば１１１１１１０１を超６
３階調データとして出力する。−２≦加算階調データ＜０であれば００００００１０を、
−４≦加算階調データ＜−２であれば０００００００１を、加算階調データ＜−４であれ
ば００００００００を超０階調データとして出力する。このように、実施例２も、６ビッ
トの６３階調データに対応する８ビットの階調データの下位２ビットを００にし、且つ６
ビットの０階調データに対応する８ビットの階調データの下位２ビットを１１にすること
で、３種類の超６３階調と３種類の超０階調データを生成可能にする。そして、加算補正
値に応じて超６３階調データの３種類と、超０階調データの３種類を生成する。
【００５６】
上述の如く、２画面表示装置は２つの視方向に対する個別の画像がサブ画素で隣接して
おり、特に、入力画像の階調を超える電気的なクロストークが発生しやすい。本発明は、
ソースドライバを６ビット用から８ビット用に変更し、演算部１２ａを変更するだけで、
入力画像の６ビットの６３階調データよりも大きい階調データと入力画像の６ビットの０
階調データよりも小さい階調データを生成することにより、容易に入力画像のビット数を
超えた種類の階調を表示させることができる。
【実施例３】
【００５７】
実施例１と実施例２は入力画像の６ビットの００００００がクロストーク補正部７の出
力の８ビットの００００００１１（ソースドライバの電圧のＶ３）となり、入力画像の６
ビットの１１１１１１がクロストーク補正部７の出力の８ビットの１１１１１１０１（ソ
ースドライバの電圧のＶ２５２）となる。このように入力画像の６ビットはソースドライ
バの電圧のＶ３からＶ２５２の範囲となる。合成画面では超０階調データや超６３階調デ
ータが少なくないのでコントラストの低下を感じないが、合成しない画面では超０階調デ
ータや超６３階調データが少ないので、コントラストの低下を感じることとなる。
【００５８】
図１８はこれを解決するブロック図である、図１９はこれを解決する方法を示す２画面
表示装置の動作を示すフローチャートである。実施例１の図１の構成と同様の実施例３の
図１８の構成については同一番号を付し、説明を省略する。図１８の構成は図１に２画面
／１画面切替回路４３を追加し、演算部の参照番号を１２ｃにしたものである。図１８の
演算部１２ｃの動作は実施例１の演算部１２ａと異なる。それ以外は実施例１と同一であ
る。
【００５９】
ナビゲーション装置４０の設けられた２画面／１画面切替回路１３は２種類の画像を左
右別々の方向で視認する２画面表示モードにするか、いずれか一方のみの画像を両方の方
向から視認する１画面表示モード（非２画面表示モード）にするかを示す切替信号を２画
面表示装置１の２画面合成部６と演算部１２ｃに出力する。
【００６０】
図１９において、２画面表示装置は、２画面表示が選択されているときは（ステップＳ
１のＹ）、図７に示す如く、２種類の画像のサブ画素が隣接した合成画像を生成し（ステ
ップＳ２）、前述の図１１に示す如く、超０階調データや超６３階調データが可能な超６
ビット補正を行う。これにより、入力画像のビット数を超えた種類の階調を表示させるこ
とができる。
【００６１】
２画面表示装置は、２画面表示が選択されていないときは（ステップＳ１のＮ）、合成
画像を生成せずに（ステップＳ４）、選択された一方の入力画像をクロストーク補正部７
に出力する。クロストーク補正部７の演算部１２ｃは図１９に示す如く、入力画像の６ビ
ットの００００００をクロストーク補正部７の出力の８ビットの００００００００（ソー
スドライバの電圧のＶ０）とし、入力画像の６ビットの１１１１１１をクロストーク補正
部７の出力の８ビットの１１１１１１１１（ソースドライバの電圧のＶ２５５）とする。
このような超０階調データや超６３階調データがない６４種類の６ビット補正を行う（ス
テップＳ５）。このように、合成画面でないときは入力画像の６ビットの最小値をクロス
トーク補正部７の出力の８ビットの最小値とし、入力画像の６ビットの最大値をクロスト
ーク補正部７の出力の８ビットの最大値とすることにより、入力画像の６ビットはソース
ドライバの電圧のＶ０からＶ２５５の範囲となるので、コントラストの低下を防止するこ
とができる。
【００６２】
尚、上述の実施例で超６３階調データと超０階調データの両方を生成したが、いずれか
一方のみ生成してもよい。
【００６３】
また、上述の実施例は液晶パネルであったが、本発明の駆動方法に適合するものであれ
ば、有機ＥＬ（エレクトロルミネッセンス）装置やプラズマディスプレイなどの電気光学
装置にも適用可能である。
【図面の簡単な説明】
【００６４】
【図１】実施例の２画面表示装置の要部を示すブロック図である。
【図２】図１の液晶表示部の要部を示すブロック図である。
【図３】図２のソースドライバの要部を示すブロック図である。
【図４】図３の正極ＤＡ変換回路の要部を示すブロック図である。
【図５】ソースドライバに入力される８ビットを網掛けで示した表である。
【図６】液晶パネルの画素配列を示す図である。
【図７】２つの視方向に対する個別の画像の合成および市松模様のサブ画素配列を示す図である。
【図８】２つの視方向に対する個別の画像の表示を示す図である。
【図９】補正データテーブルを示す図である。
【図１０】補正データテーブルには格納されていない階調補正データを補間計算する方法を示す図である。
【図１１】演算部の出力を示す図である。
【図１２】実施例２の要部を示すブロック図である。
【図１３】実施例２の演算部の出力を示す図である。
【図１４】従来例に係る液晶２画面表示装置の断面図である。
【図１５】図１５（ａ）は左側及び右側のそれぞれの入力画像と２画面表示時の画像を示す模式図であり、図１５（ｂ）は液晶２画面表示装置の画素毎の輝度レベルを表す図である。
【図１６】従来の６ビット仕様の正極ＤＡ変換回路の要部を示すブロック図である。
【図１７】従来のクロストーク補正の限界を示す図である。
【図１８】実施例３の要部を示すブロック図である。
【図１９】実施例３の動作を示すフローチャートである。
【図２０】実施例３の演算部の出力を示す図である。
【符号の説明】
【００６５】
１    ２画面表示装置
２    液晶表示部
３    信号処理回路
４    ＥＥＰＲＯＭ
５    電源供給回路
６    ２画面合成部
７    クロストーク補正部
８    出力信号生成部
９    ＥＥＰＲＯＭコントローラ
１０    前処理部
１１    補正データ送出部
１２ａ、１２ｂ、１２ｃ  演算部
１３    ＬＵＴ
１４    データ補間部
１５    ２画面／１画面切替回路
２０    液晶パネル
２１    ソースドライバ
２２    ゲートドライバ
３６    ＤＡ変換回路
３７    正極ＤＡ変換回路
３８    負極ＤＡ変換回路
【図１】
2009080236.tif 000004
【図２】
2009080236.tif 000005
【図３】
2009080236.tif 000006
【図４】
2009080236.tif 000007
【図５】
2009080236.tif 000008
【図６】
2009080236.tif 000009
【図７】
2009080236.tif 000010
【図８】
2009080236.tif 000011
【図９】
2009080236.tif 000012
【図１０】
2009080236.tif 000013
【図１１】
2009080236.tif 000014
【図１２】
2009080236.tif 000015
【図１３】
2009080236.tif 000016
【図１４】
2009080236.tif 000017
【図１５】
2009080236.tif 000018
【図１６】
2009080236.tif 000019
【図１７】
2009080236.tif 000020
【図１８】
2009080236.tif 000021
【図１９】
2009080236.tif 000022
【図２０】
2009080236.tif 000023